(57)【要約】      （修正有）【課題】最大需要電力（最大デマンド値）を小さくするようにシミュレーションを行う模擬装置、運用パターン決定支援システム及び運用パターン決定支援方法を提供する。【解決手段】全体計測部３０からの全体電力量値に基づいて電力需要家全体の所定期間別の全体デマンド値を算出し、ｎ個の部分計測部２０からの部分電力量に基づいて所定単位別の所定期間別の部分デマンド値を算出し、模擬装置１０が一部の部分電力量値の所定期間でタイムシフトして模擬部分デマンド値を用いて模擬全体デマンド値を算出するような模擬装置とした。またこの模擬装置を用いる運用パターン決定支援システムおよび運用パターン決定支援方法とした。【選択図】図２
2015139317.tif 000002
【特許請求の範囲】
【請求項１】
時刻情報が関連付けられた部分１，部分２，・・・，部分ｎの部分電力量値、および、時刻情報が関連付けられた全体電力量値を含む計測データを用いて運用パターンを決定する模擬装置であって、
時刻情報が関連付けられた部分１，部分２，・・・，部分ｎの部分電力量値に基づいて部分の所定時間単位別の部分デマンド値を全ての部分１，部分２，・・・，部分ｎについて時刻別に算出する部分デマンド値算出手段と、
時刻情報が関連付けられた全体電力量値を用いて電力需要家全体の所定時間単位別の全体デマンド値を時刻別に算出する全体デマンド値算出手段と、
所定期間で部分１，部分２，・・・，部分ｎのうちの一の部分電力量値のタイムシフトを行うタイムシフト手段と、
タイムシフトされた部分電力量値に基づいて模擬部分デマンド値を算出する模擬部分デマンド値算出手段と、
前記全体デマンド値と前記模擬部分デマンド値との和から前記部分デマンド値を減じて模擬全体デマンド値を算出する模擬全体デマンド値算出手段と、
所定時間単位別の全体デマンド値および模擬全体デマンド値のグラフを表示する表示手段を備えることを特徴とする模擬装置。
【請求項２】
時刻情報が関連付けられた部分１，部分２，・・・，部分ｎの部分電力量値を含む計測データを用いて運用パターンを決定する模擬装置であって、
時刻情報が関連付けられた部分１，部分２，・・・，部分ｎの部分電力量値に基づいて部分の所定時間単位別の部分デマンド値を全ての部分１，部分２，・・・，部分ｎについて時刻別に算出する部分デマンド値算出手段と、
部分１，部分２，・・・，部分ｎの所定時間単位別の部分デマンド値を全て加算して電力需要家全体の所定時間単位別の全体デマンド値を時刻別に算出する全体デマンド値算出手段と、
所定期間で部分１，部分２，・・・，部分ｎのうちの一の部分電力量値のタイムシフトを行うタイムシフト手段と、
タイムシフトされた部分電力量値に基づいて模擬部分デマンド値を算出する模擬部分デマンド値算出手段と、
前記全体デマンド値と前記模擬部分デマンド値との和から前記部分デマンド値を減じて模擬全体デマンド値を算出する模擬全体デマンド値算出手段と、
所定時間単位別の全体デマンド値および模擬全体デマンド値のグラフを表示する表示手段を備えることを特徴とする模擬装置。
【請求項３】
請求項１または請求項２に記載の模擬装置であって、
前記全体デマンド値算出手段で算出された全体デマンド値の中で最大全体デマンド値を特定する最大全体デマンド値特定手段と、
前記模擬全体デマンド値算出手段で算出された模擬全体デマンド値の中で最大模擬全体デマンド値を特定する最大模擬全体デマンド値特定手段と、
最大模擬全体デマンド値が最大全体デマンド値よりも下回るか比較し、下回るときに運用パターンの候補に決定する候補決定手段を備えることを特徴とする模擬装置。
【請求項４】
請求項３に記載の模擬装置であって、
前記タイムシフト手段、前記模擬部分デマンド値算出手段、前記模擬全体デマンド値算出手段、前記最大模擬全体デマンド値特定手段を繰り返し行い、複数の最大模擬全体デマンド値の中で最小となる最大模擬全体デマンド値を算出する繰り返し手段を備えることを特徴とする模擬装置。
【請求項５】
請求項１に記載の前記模擬装置と、
電力需要家が有する電気機器その他の部分の使用電力または使用電力量に基づいて部分１，部分２，・・・，部分ｎの部分電力量値を算出して時刻情報およびＩＤとともに計測データとして登録するｎ個の部分計測部と、
電力需要家の全体の使用電力または使用電力量に基づいて全体電力量値を算出して時刻情報およびＩＤとともに計測データとして登録する全体計測部と、
を備え、前記模擬装置は、ｎ個の部分計測部および全体計測部から通信または媒体を介して読み出された計測データを用いて運用パターンを決定することを特徴とする運用パターン決定支援システム。
【請求項６】
請求項１に記載の前記模擬装置と、
電力需要家が有する電気機器その他の部分の使用電力または使用電力量に基づいて部分１，部分２，・・・，部分ｎの部分電力量値を算出して時刻情報およびＩＤとともに通信回線を介して前記模擬装置へ送信するｎ個の部分計測部と、
電力需要家の全体の使用電力または使用電力量に基づいて全体電力量値を算出して時刻情報およびＩＤとともに通信回線を介して前記模擬装置へ送信する全体計測部と、
を備え、前記模擬装置は、
ｎ個の部分計測部から送信された各値を用い、時刻情報とＩＤとが関連付けられた部分１，部分２，・・・，部分ｎの部分電力量値を含む計測データとして登録する部分計測手段と、全体計測部から送信された値を用い、時刻情報とＩＤとが関連付けられた全体電力量値を含む計測データとして登録する全体計測手段とをさらに備え、この計測データを用いて運用パターンを決定することを特徴とする運用パターン決定支援システム。
【請求項７】
請求項１に記載の前記模擬装置と、
電力需要家が有する電気機器その他の部分の使用電力または使用電力量に基づいて部分１，部分２，・・・，部分ｎの部分電力量値を算出して時刻情報およびＩＤとともに通信回線を介して送信するｎ個の部分計測部と、
電力需要家の全体の使用電力または使用電力量に基づいて全体電力量値を算出して時刻情報およびＩＤとともに通信回線を介して送信する全体計測部と、
ｎ個の部分計測部および全体計測部から送信された各値を用い、時刻情報とＩＤとが関連付けられた部分１，部分２，・・・，部分ｎの部分電力量値、および、時刻情報とＩＤとが関連付けられた全体電力量値を含む計測データとして登録する計測データ収集装置と、
を備え、前記模擬装置は、計測データ収集装置から通信または媒体を介して読みだされた計測データを用いて運用パターンを決定することを特徴とする運用パターン決定支援システム。
【請求項８】
請求項２に記載の前記模擬装置と、
電力需要家が有する電気機器その他の部分の使用電力または使用電力量に基づいて部分１，部分２，・・・，部分ｎの部分電力量値を算出して時刻情報およびＩＤとともに計測データとして登録するｎ個の部分計測部と、
を備え、前記模擬装置は、ｎ個の部分計測部から通信または媒体を介して読み出された計測データを用いて運用パターンを決定することを特徴とする運用パターン決定支援システム。
【請求項９】
請求項２に記載の前記模擬装置と、
電力需要家が有する電気機器その他の部分の使用電力または使用電力量に基づいて部分１，部分２，・・・，部分ｎの部分電力量値を算出して時刻情報およびＩＤとともに通信回線を介して送信するｎ個の部分計測部と、
を備え、前記模擬装置は、
ｎ個の部分計測部から送信された各値を用い、時刻情報とＩＤとが関連付けられた部分１，部分２，・・・，部分ｎの部分電力量値を含む計測データとして登録する部分計測手段をさらに備え、この計測データを用いて運用パターンを決定することを特徴とする運用パターン決定支援システム。
【請求項１０】
請求項２に記載の前記模擬装置と、
電力需要家が有する電気機器その他の部分の使用電力または使用電力量に基づいて部分１，部分２，・・・，部分ｎの部分電力量値を算出して時刻情報およびＩＤとともに通信回線を介して送信するｎ個の部分計測部と、
ｎ個の部分計測部から送信された各値を用い、時刻情報とＩＤとが関連付けられた部分電力量値を含む計測データとして登録する計測データ収集装置と、
を備え、前記模擬装置は、計測データ収集装置から通信または媒体を介して読みだされた計測データを用いて運用パターンを決定することを特徴とする運用パターン決定支援システム。
【請求項１１】
時刻情報が関連付けられた部分１，部分２，・・・，部分ｎの部分電力量値、および、時刻情報が関連付けられた全体電力量値を含む計測データを用いて運用パターンを決定する運用パターン決定支援方法であって、
時刻情報が関連付けられた部分１，部分２，・・・，部分ｎの部分電力量値に基づいて部分の所定時間単位別の部分デマンド値を全ての部分１，部分２，・・・，部分ｎについて時刻別に算出する部分デマンド値算出手順と、
時刻情報が関連付けられた全体電力量値を用いて電力需要家全体の所定時間単位別の全体デマンド値を時刻別に算出する全体デマンド値算出手順と、
所定期間で部分１，部分２，・・・，部分ｎのうちの一の部分電力量値のタイムシフトを行うタイムシフト手順と、
タイムシフトされた部分電力量値に基づいて模擬部分デマンド値を算出する模擬部分デマンド値算出手順と、
前記全体デマンド値と前記模擬部分デマンド値との和から前記部分デマンド値を減じて模擬全体デマンド値を算出する模擬全体デマンド値算出手順と、
所定時間単位別の全体デマンド値および模擬全体デマンド値のグラフを表示する表示手順を有することを特徴とする運用パターン決定支援方法。
【請求項１２】
時刻情報が関連付けられた部分１，部分２，・・・，部分ｎの部分電力量値を含む計測データを用いて運用パターンを決定する運用パターンを決定支援方法であって、
時刻情報が関連付けられた部分１，部分２，・・・，部分ｎの部分電力量値に基づいて部分の所定時間単位別の部分デマンド値を全ての部分１，部分２，・・・，部分ｎについて時刻別に算出する部分デマンド値算出手順と、
部分１，部分２，・・・，部分ｎの所定時間単位別の部分デマンド値を全て加算して電力需要家全体の所定時間単位別の全体デマンド値を時刻別に算出する全体デマンド値算出手順と、
所定期間で部分１，部分２，・・・，部分ｎのうちの一の部分電力量値のタイムシフトを行うタイムシフト手順と、
タイムシフトされた部分電力量値に基づいて模擬部分デマンド値を算出する模擬部分デマンド値算出手順と、
前記全体デマンド値と前記模擬部分デマンド値との和から前記部分デマンド値を減じて模擬全体デマンド値を算出する模擬全体デマンド値算出手順と、
所定時間単位別の全体デマンド値および模擬全体デマンド値のグラフを表示する表示手順を有することを特徴とする運用パターン決定支援方法。
【請求項１３】
請求項１１または請求項１２に記載の運用パターン決定支援方法であって、
前記全体デマンド値算出手順で算出された全体デマンド値の中で最大全体デマンド値を特定する最大全体デマンド値特定手順と、
前記模擬全体デマンド値算出手順で算出された模擬全体デマンド値の中で最大模擬全体デマンド値を特定する最大模擬全体デマンド値特定手順と、
最大模擬全体デマンド値が最大全体デマンド値よりも下回るか比較し、下回るときに運用パターンの候補に決定する候補決定手順を有することを特徴とする運用パターン決定支援方法。
【請求項１４】
請求項１３に記載の運用パターン決定支援方法であって、
前記タイムシフト手順、前記模擬部分デマンド値算出手順、前記模擬全体デマンド値算出手順、前記最大模擬全体デマンド値特定手順を繰り返し行い、複数の最大模擬全体デマンド値の中で最小となる最大模擬全体デマンド値を算出する繰り返し手順を有することを特徴とする運用パターン決定支援方法。
【発明の詳細な説明】
【技術分野】
【０００１】
本発明は、電力需要家施設全体における最大デマンド値を低減するように運用パターンを決定する模擬装置、運用パターン決定支援システム及び運用パターン決定支援方法に関する。
【背景技術】
【０００２】
工場など高圧受電の電力需要家の電気料金は、主に契約電力（過去１年間におけるデマンド値のうち最大需要電力（最大デマンド値））によって増減する「基本料金」と、使用電力量に応じて課金される「電力量料金」と、からなる。「基本料金」は、例えば次式のように決定される。
【０００３】
［数１］
基本料金＝単価×契約電力（最大デマンド値）×力率割引（割増）
【０００４】
したがって、「基本料金」の削減のために、最大需要電力（最大デマンド値）の削減が必要である。この最大需要電力（最大デマンド値）を削減する方法として、例えば、以下（１）〜（４）の方法が知られている。
【０００５】
（１）電力需要家の電気機器を稼働する時間帯を電力需要が少ない夜間などにシフトする。
（２）電力需要家の最大需要電力（最大デマンド値）を常時監視し、設定値を超える最大デマンド値の発生が予測される場合は、警報を管理者に通知、あるいは、電気機器への使用電力（出力）を抑制し、または運転を停止する制御を行う。
（３）予め蓄電装置に貯蔵した電力を利用する。
（４）使用電力量の合計値が最大となった時の最大デマンド電力の原因となる電気機器の順位をランク付けして、対策する対象機器を特定する、あるいは使用電力量と最大デマンド値との比を指標として効率的な電力使用を行う。
【０００６】
特に（４）の方法については特許文献１（特許第４６０６２５７号公報）および特許文献２（特開２００６−１４５３３号公報）にも開示されている。
【先行技術文献】
【特許文献】
【０００７】
【特許文献１】特許第４６０６２５７号公報
【特許文献２】特開２００６−１４５３３号公報
【発明の概要】
【発明が解決しようとする課題】
【０００８】
上記の（１）〜（４）の方法は、それぞれ以下の問題があった。
（１）電気機器の稼働時間帯を夜間帯にシフトする方法は生産活動に制約を受けやすい。
（２）電気機器の使用電力（出力）を制御する方法は制御装置が必要になる。
（３）蓄電装置及びその制御装置が必要になる。
（４）改善対象とすべき電気機器の選定や使用電力量の過去の実績は把握できるが改善後の効果を予測することはできない。これは特に特許文献１，２に記載の従来技術でも同様のことがいえる。
【０００９】
そこで、本発明は上記の問題に鑑みてなされたものであり、その目的は、最大需要電力（最大デマンド値）を小さくする運用パターンの決定をシミュレーションにより支援するような模擬装置、運用パターン決定支援システム及び運用パターン決定支援方法を提供することにある。
【課題を解決するための手段】
【００１０】
本発明の請求項１に係る発明は、
時刻情報が関連付けられた部分１，部分２，・・・，部分ｎの部分電力量値、および、時刻情報が関連付けられた全体電力量値を含む計測データを用いて運用パターンを決定する模擬装置であって、
時刻情報が関連付けられた部分１，部分２，・・・，部分ｎの部分電力量値に基づいて部分の所定時間単位別の部分デマンド値を全ての部分１，部分２，・・・，部分ｎについて時刻別に算出する部分デマンド値算出手段と、
時刻情報が関連付けられた全体電力量値を用いて電力需要家全体の所定時間単位別の全体デマンド値を時刻別に算出する全体デマンド値算出手段と、
所定期間で部分１，部分２，・・・，部分ｎのうちの一の部分電力量値のタイムシフトを行うタイムシフト手段と、
タイムシフトされた部分電力量値に基づいて模擬部分デマンド値を算出する模擬部分デマンド値算出手段と、
前記全体デマンド値と前記模擬部分デマンド値との和から前記部分デマンド値を減じて模擬全体デマンド値を算出する模擬全体デマンド値算出手段と、
所定時間単位別の全体デマンド値および模擬全体デマンド値のグラフを表示する表示手段を備えることを特徴とする模擬装置である。
【００１１】
また、本発明の請求項２に係る発明は、
時刻情報が関連付けられた部分１，部分２，・・・，部分ｎの部分電力量値を含む計測データを用いて運用パターンを決定する模擬装置であって、
時刻情報が関連付けられた部分１，部分２，・・・，部分ｎの部分電力量値に基づいて部分の所定時間単位別の部分デマンド値を全ての部分１，部分２，・・・，部分ｎについて時刻別に算出する部分デマンド値算出手段と、
部分１，部分２，・・・，部分ｎの所定時間単位別の部分デマンド値を全て加算して電力需要家全体の所定時間単位別の全体デマンド値を時刻別に算出する全体デマンド値算出手段と、
所定期間で部分１，部分２，・・・，部分ｎのうちの一の部分電力量値のタイムシフトを行うタイムシフト手段と、
タイムシフトされた部分電力量値に基づいて模擬部分デマンド値を算出する模擬部分デマンド値算出手段と、
前記全体デマンド値と前記模擬部分デマンド値との和から前記部分デマンド値を減じて模擬全体デマンド値を算出する模擬全体デマンド値算出手段と、
所定時間単位別の全体デマンド値および模擬全体デマンド値のグラフを表示する表示手段を備えることを特徴とする模擬装置である。
【００１２】
また、本発明の請求項３に係る発明は、
請求項１または請求項２に記載の模擬装置であって、
前記全体デマンド値算出手段で算出された全体デマンド値の中で最大全体デマンド値を特定する最大全体デマンド値特定手段と、
前記模擬全体デマンド値算出手段で算出された模擬全体デマンド値の中で最大模擬全体デマンド値を特定する最大模擬全体デマンド値特定手段と、
最大模擬全体デマンド値が最大全体デマンド値よりも下回るか比較し、下回るときに運用パターンの候補に決定する候補決定手段を備えることを特徴とする模擬装置である。
【００１３】
また、本発明の請求項４に係る発明は、
請求項３に記載の模擬装置であって、
前記タイムシフト手段、前記模擬部分デマンド値算出手段、前記模擬全体デマンド値算出手段、前記最大模擬全体デマンド値特定手段を繰り返し行い、複数の最大模擬全体デマンド値の中で最小となる最大模擬全体デマンド値を算出する繰り返し手段を備えることを特徴とする模擬装置である。
【００１４】
また、本発明の請求項５に係る発明は、
請求項１に記載の前記模擬装置と、
電力需要家が有する電気機器その他の部分の使用電力または使用電力量に基づいて部分１，部分２，・・・，部分ｎの部分電力量値を算出して時刻情報およびＩＤとともに計測データとして登録するｎ個の部分計測部と、
電力需要家の全体の使用電力または使用電力量に基づいて全体電力量値を算出して時刻情報およびＩＤとともに計測データとして登録する全体計測部と、
を備え、前記模擬装置は、ｎ個の部分計測部および全体計測部から通信または媒体を介して読み出された計測データを用いて運用パターンを決定することを特徴とする運用パターン決定支援システムである。
【００１５】
また、本発明の請求項６に係る発明は、
請求項１に記載の前記模擬装置と、
電力需要家が有する電気機器その他の部分の使用電力または使用電力量に基づいて部分１，部分２，・・・，部分ｎの部分電力量値を算出して時刻情報およびＩＤとともに通信回線を介して前記模擬装置へ送信するｎ個の部分計測部と、
電力需要家の全体の使用電力または使用電力量に基づいて全体電力量値を算出して時刻情報およびＩＤとともに通信回線を介して前記模擬装置へ送信する全体計測部と、
を備え、前記模擬装置は、
ｎ個の部分計測部から送信された各値を用い、時刻情報とＩＤとが関連付けられた部分１，部分２，・・・，部分ｎの部分電力量値を含む計測データとして登録する部分計測手段と、全体計測部から送信された値を用い、時刻情報とＩＤとが関連付けられた全体電力量値を含む計測データとして登録する全体計測手段とをさらに備え、この計測データを用いて運用パターンを決定することを特徴とする運用パターン決定支援システムである。
【００１６】
また、本発明の請求項７に係る発明は、
請求項１に記載の前記模擬装置と、
電力需要家が有する電気機器その他の部分の使用電力または使用電力量に基づいて部分１，部分２，・・・，部分ｎの部分電力量値を算出して時刻情報およびＩＤとともに通信回線を介して送信するｎ個の部分計測部と、
電力需要家の全体の使用電力または使用電力量に基づいて全体電力量値を算出して時刻情報およびＩＤとともに通信回線を介して送信する全体計測部と、
ｎ個の部分計測部および全体計測部から送信された各値を用い、時刻情報とＩＤとが関連付けられた部分１，部分２，・・・，部分ｎの部分電力量値、および、時刻情報とＩＤとが関連付けられた全体電力量値を含む計測データとして登録する計測データ収集装置と、
を備え、前記模擬装置は、計測データ収集装置から通信または媒体を介して読みだされた計測データを用いて運用パターンを決定することを特徴とする運用パターン決定支援システムである。
【００１７】
また、本発明の請求項８に係る発明は、
請求項２に記載の前記模擬装置と、
電力需要家が有する電気機器その他の部分の使用電力または使用電力量に基づいて部分１，部分２，・・・，部分ｎの部分電力量値を算出して時刻情報およびＩＤとともに計測データとして登録するｎ個の部分計測部と、
を備え、前記模擬装置は、ｎ個の部分計測部から通信または媒体を介して読み出された計測データを用いて運用パターンを決定することを特徴とする運用パターン決定支援システムである。
【００１８】
また、本発明の請求項９に係る発明は、
請求項２に記載の前記模擬装置と、
電力需要家が有する電気機器その他の部分の使用電力または使用電力量に基づいて部分１，部分２，・・・，部分ｎの部分電力量値を算出して時刻情報およびＩＤとともに通信回線を介して送信するｎ個の部分計測部と、
を備え、前記模擬装置は、
ｎ個の部分計測部から送信された各値を用い、時刻情報とＩＤとが関連付けられた部分１，部分２，・・・，部分ｎの部分電力量値を含む計測データとして登録する部分計測手段をさらに備え、この計測データを用いて運用パターンを決定することを特徴とする運用パターン決定支援システムである。
【００１９】
また、本発明の請求項１０に係る発明は、
請求項２に記載の前記模擬装置と、
電力需要家が有する電気機器その他の部分の使用電力または使用電力量に基づいて部分１，部分２，・・・，部分ｎの部分電力量値を算出して時刻情報およびＩＤとともに通信回線を介して送信するｎ個の部分計測部と、
ｎ個の部分計測部から送信された各値を用い、時刻情報とＩＤとが関連付けられた部分電力量値を含む計測データとして登録する計測データ収集装置と、
を備え、前記模擬装置は、計測データ収集装置から通信または媒体を介して読みだされた計測データを用いて運用パターンを決定することを特徴とする運用パターン決定支援システムである。
【００２０】
また、本発明の請求項１１に係る発明は、
時刻情報が関連付けられた部分１，部分２，・・・，部分ｎの部分電力量値、および、時刻情報が関連付けられた全体電力量値を含む計測データを用いて運用パターンを決定する運用パターン決定支援方法であって、
時刻情報が関連付けられた部分１，部分２，・・・，部分ｎの部分電力量値に基づいて部分の所定時間単位別の部分デマンド値を全ての部分１，部分２，・・・，部分ｎについて時刻別に算出する部分デマンド値算出手順と、
時刻情報が関連付けられた全体電力量値を用いて電力需要家全体の所定時間単位別の全体デマンド値を時刻別に算出する全体デマンド値算出手順と、
所定期間で部分１，部分２，・・・，部分ｎのうちの一の部分電力量値のタイムシフトを行うタイムシフト手順と、
タイムシフトされた部分電力量値に基づいて模擬部分デマンド値を算出する模擬部分デマンド値算出手順と、
前記全体デマンド値と前記模擬部分デマンド値との和から前記部分デマンド値を減じて模擬全体デマンド値を算出する模擬全体デマンド値算出手順と、
所定時間単位別の全体デマンド値および模擬全体デマンド値のグラフを表示する表示手順を有することを特徴とする運用パターン決定支援方法である。
【００２１】
また、本発明の請求項１２に係る発明は、
時刻情報が関連付けられた部分１，部分２，・・・，部分ｎの部分電力量値を含む計測データを用いて運用パターンを決定する運用パターンを決定支援方法であって、
時刻情報が関連付けられた部分１，部分２，・・・，部分ｎの部分電力量値に基づいて部分の所定時間単位別の部分デマンド値を全ての部分１，部分２，・・・，部分ｎについて時刻別に算出する部分デマンド値算出手順と、
部分１，部分２，・・・，部分ｎの所定時間単位別の部分デマンド値を全て加算して電力需要家全体の所定時間単位別の全体デマンド値を時刻別に算出する全体デマンド値算出手順と、
所定期間で部分１，部分２，・・・，部分ｎのうちの一の部分電力量値のタイムシフトを行うタイムシフト手順と、
タイムシフトされた部分電力量値に基づいて模擬部分デマンド値を算出する模擬部分デマンド値算出手順と、
前記全体デマンド値と前記模擬部分デマンド値との和から前記部分デマンド値を減じて模擬全体デマンド値を算出する模擬全体デマンド値算出手順と、
所定時間単位別の全体デマンド値および模擬全体デマンド値のグラフを表示する表示手順を有することを特徴とする運用パターン決定支援方法である。
【００２２】
また、本発明の請求項１３に係る発明は、
請求項１１または請求項１２に記載の運用パターン決定支援方法であって、
前記全体デマンド値算出手順で算出された全体デマンド値の中で最大全体デマンド値を特定する最大全体デマンド値特定手順と、
前記模擬全体デマンド値算出手順で算出された模擬全体デマンド値の中で最大模擬全体デマンド値を特定する最大模擬全体デマンド値特定手順と、
最大模擬全体デマンド値が最大全体デマンド値よりも下回るか比較し、下回るときに運用パターンの候補に決定する候補決定手順を有することを特徴とする運用パターン決定支援方法である。
【００２３】
また、本発明の請求項１４に係る発明は、
請求項１３に記載の運用パターン決定支援方法であって、
前記タイムシフト手順、前記模擬部分デマンド値算出手順、前記模擬全体デマンド値算出手順、前記最大模擬全体デマンド値特定手順を繰り返し行い、複数の最大模擬全体デマンド値の中で最小となる最大模擬全体デマンド値を算出する繰り返し手順を有することを特徴とする運用パターン決定支援方法である。
【発明の効果】
【００２４】
本発明によれば、最大需要電力（最大デマンド値）を小さくする運用パターンの決定をシミュレーションにより支援するような模擬装置、運用パターン決定支援システム及び運用パターン決定支援方法を提供することができる。
【図面の簡単な説明】
【００２５】
【図１】本発明を実施するための形態の模擬装置の構成図である。
【図２】本発明を実施するための形態の運用パターン決定支援システムの構成図である。
【図３】最適な最大デマンド値の算出原理の説明図であり、図３（ａ）は改善前のデマンド値の説明図、図３（ｂ）は改善後のデマンド値の説明図である。
【図４】本発明を実施するための形態の運用パターン決定支援方法を説明するフローチャートである。
【図５】運用パターン決定支援の具体例の説明図であり、図５（ａ）は実測による所定時間単位−最大デマンド値の特性図、図５（ｂ）は最適化された所定時間単位−最大デマンド値の特性図である。
【図６】発明を実施するための形態の他の運用パターン決定支援方法を説明するフローチャートである。
【図７】発明を実施するための形態の他の運用パターン決定支援方法を説明するフローチャートである。
【図８】本発明を実施するための他の形態の運用パターン決定支援システムの構成図である。
【図９】本発明を実施するための他の形態の運用パターン決定支援システムの構成図である。
【図１０】本発明を実施するための他の形態の運用パターン決定支援システムの構成図である。
【図１１】本発明を実施するための他の形態の運用パターン決定支援システムの構成図である。
【図１２】運用パターン決定支援のデータの説明図である。
【図１３】運用パターン決定支援前のデマンド値（実測値）の説明図である。
【図１４】運用パターン決定支援後のデマンド値（模擬値）の説明図である。
【図１５】本発明を実施するための他の形態の運用パターン決定支援システムの構成図である。
【図１６】本発明を実施するための他の形態の運用パターン決定支援システムの構成図である。
【図１７】本発明を実施するための他の形態の運用パターン決定支援システムの構成図である。
【発明を実施するための形態】
【００２６】
続いて、本発明の模擬装置、運用パターン決定支援システム及び運用パターン決定支援方法について以下に説明する。
まず、模擬装置１０について説明する。模擬装置１０は、具体的にはパーソナルコンピュータ、タブレット型端末などのコンピュータである。模擬装置１０は、運用パターンを決定する対象の電力に関する計測データを用いて運用パターンの決定を行うものであり、さらにインターフェース部１１、記憶部１２、外部記憶部１３、演算部１４、入力部１５、表示部１６を備える。
【００２７】
インターフェース部１１は、入力部１５や表示部１６用のインターフェースなどに加えＵＳＢ端子などとのインターフェース機能も有する。
記憶部１２は、例えば各種データを一時的に記憶するメモリなどであり、演算部１４により読み書きが制御される。
【００２８】
外部記憶部１３は、例えば各種の大容量のデータを保存するハードディスクなどであり、演算部１４により読み書きが制御される。
演算部１４は、インターフェース部１１、記憶部１２、外部記憶部１３と接続されており、後述する運用パターン決定支援のための各種の処理・制御を行う。
【００２９】
入力部１５は、インターフェース部１１に接続されており、シミュレーションのための指示や各種データの入力がなされる。例えば、運用パターン決定支援のための各種設定（例えば５分間や１０分間というシフト時間の入力や、時間を遅らせるという遅延シフトか時間を進ませるという先行シフトかの選択入力）や、運用パターン決定支援のための指示（例えばシミュレーション開始）が行われる。
表示部１６は、インターフェース部１１に接続されており、シミュレーション結果など運用パターン決定支援のための表示がなされる。各部構成はこのようなものである。
【００３０】
続いてこの模擬装置１０も含む運用パターン決定支援システム１について説明する。運用パターン決定支援システム１は電力需要家に設置される。この電力需要家として、例えば図２で示すように、工場を想定して説明する。電力需要家は、電力供給部１００、電力線２００、電気機器３００を備える。
【００３１】
電力供給部１００は、例えば大型の電池や変圧器の二次側などである。この電力供給部１００では、本発明の全体の使用電力または使用電力量が計測・算出される。
電力線２００は、電力供給部１００から供給される電力を送電する。
電気機器３００は、例えば、空調、モータ、電炉、クレーン、コンベアなど各種機器が想定される。この電気機器３００は、本発明の部分の使用電力または使用電力量が計測・算出される。
【００３２】
運用パターン決定支援システム１は、模擬装置１０、ｎ個（ｎは自然数）の部分計測部２０、全体計測部３０を備える。
部分計測部２０は、電気機器３００で使用される部分電力量（ｋＷｈ）を実測データとして取得する携帯型のデータロガーである。この際、ｎ個の部分計測部２０は、それぞれ対応する電気機器３００で使用される部分電力量を実測データとして取得する。そして、実測データに対し、ｎ個あるうちの一の電気機器３００からの出力であることを識別する情報であるＩＤと、測定した時刻情報（例えば、１分間単位別の時刻）と、を対応付けて計測データとする。なお、図示しないが部分計測部２０が設置されないような電気機器３００があっても良い。この電気機器３００は常時オンの設備など電力変動が少ないものであり、この場合は一定電力として処理される。部分計測部２０は、電力需要家の実情に応じて適宜設置される。
【００３３】
全体計測部３０は、電力供給部１００から設備全体で使用される全体電力量（ｋＷｈ）を実測データとして取得する携帯型のデータロガーである。そして、実測データに対し、電力供給部１００からの出力であることを識別する情報であるＩＤと、測定した時刻情報（例えば、１分間単位別の時刻）と、を対応付けて計測データとする。
【００３４】
ここにｎ個の部分計測部２０や全体計測部３０のそれぞれが、計測データの蓄積を１週間程度以上連続して行い、この計測データをＵＳＢメモリ経由（または図示しないが通信線経由）で模擬装置１０の外部記憶部１３に読み込ませる。模擬装置１０の外部記憶部１３は、電気機器３００別に時刻情報が関連付けられた部分電力量値が全ての電気機器３００について登録され、また、時刻情報が関連付けられた電力供給部１００からの全体電力値が登録されている。このようにして模擬装置１０の外部記憶部１３には所定期間が経過し過去の計測データが蓄積されているものとする。
【００３５】
続いて模擬装置１０の運用パターン決定支援について説明する。まず、運用パターン決定について説明する。運用パターン決定とは、電力需要家施設全体でのデマンド値（以下、全体デマンド値という）のうち、ある所定時間単位における最大全体デマンド値を最小化し、かつ他の時間で別の最大全体デマンド値が発生しないように運用パターン決定を行う。
【００３６】
具体的にはある部分の電気設備の運転時刻をタイムシフトにより変更するシミュレーションを行い、そして電力需要家における最大全体デマンド値を最小化する運用パターンを決定するというものである。この運用パターン決定では、１個の部分の電気設備の運転時刻の変更、２個の部分の電気設備の運転時刻の変更、・・・、全ての部分の電気設備の運転時刻の変更が可能である。
【００３７】
続いて、シミュレーションの原理について説明する。ここでは最も簡単なモデルに基づいて説明するものであり、例えば、２個の部分計測部２０と全体計測部３０とで需要家施設の電力量を計測するものとする。そして、図３（ａ）で示すように、第１の部分計測部２０で計測されたデータによる部分デマンド値１と第２の部分計測部２０で計測されたデータによる部分デマンド値２とが同じ時刻に最大になった場合を想定する。これは、例えば、始業開始してすぐに複数箇所でモータを起動したような場合などが想定される。
【００３８】
この場合、ほぼ同じ時刻に複数箇所でモータを同時に起動したため、全体計測部３０で計測された全体デマンド値が最大を記録することが想定される。そこで、部分デマンド値１，２の一方（本形態では部分デマンド値１とした）をタイムシフトさせる。これは先の例によれば一の箇所のモータのみ数分早く起動させた場合が該当する。この場合、部分デマンド値が最大になる時間が分散されて、全体デマンド値の最大値が減少する。時間を異ならせてモータを起動させることで、ピーク時点での電力が分散されることになり、全体デマンド値の最大値を大幅に（図３では値Ａ）低減させることをシミュレーションする。このように各部の部分デマンド値をタイムシフトさせることで、最大全体デマンド値を大幅に低減させる運用パターンを決定することができる。
【００３９】
さて、模擬装置１０による運用パターンの決定支援が開始されるものとする。入力部１５を通じて開始指示が入力されるものとする。この際に使用する計測データが選択される。この選択では、例えば、過去一週間のうちで最大の全体デマンド値が記録された日を選択する。また、時間であるが、夜０時から翌日の夜０時までのデータが選択されるものとする。
【００４０】
演算部１４は、時刻情報が関連付けられた部分１，部分２，・・・，部分ｎの部分電力量値に基づいて部分の所定時間単位別の部分デマンド値を全ての部分１，部分２，・・・，部分ｎについて時刻別に算出する部分デマンド値算出を行う。これは図４の部分デマンド値算出手順（ステップＳ１）に相当する。ｎ個の部分計測部２０それぞれの電力量の実測データを使って電気機器３００それぞれについての部分デマンド値（ｋＷ）を算出する。
ここに、部分デマンド値は以下のように表される。
【００４１】
［数２］
部分デマンド値（ｋＷ）＝３０分間の積算電力量（ｋＷｈ）／３０（分）
＝３０分間の積算電力量（ｋＷｈ）／０．５（ｈ）
【００４２】
ここで、３０分間とは、毎時ごとの０分から３０分、３０分から６０分の３０分間を表している。
【００４３】
演算部１４は、時刻情報が関連付けられた全体電力量値を用いて電力需要家全体の所定時間単位別の全体デマンド値を時刻別に算出する全体デマンド値算出を行う。これは図４の全体デマンド値算出手順（ステップＳ２）に相当する。全体計測部３０からの総電力量の実測データを使って電力需要家で使用される設備全体の全体デマンド値（ｋＷ）を算出する。
ここに、全体デマンド値は以下のように表される。
【００４４】
［数３］
全体デマンド値（ｋＷ）＝３０分間の積算電力量（ｋＷｈ）／３０（分）
＝３０分間の積算電力量（ｋＷｈ）／０．５（ｈ）
【００４５】
ここで、３０分間とは、毎時ごとの０分から３０分、３０分から６０分の３０分間を表している。
【００４６】
演算部１４は、所定期間で部分１，部分２，・・・，部分ｎのうちの一の部分電力量値のタイムシフトを行う。これは図４のタイムシフト手順（ステップＳ３）に相当する。演算部１４は、ある電気機器３００の始動時刻を所定期間（例えば５分とか１０分間）遅らせた（又は早めた）と仮定した場合の部分電力量値を算出する。
【００４７】
演算部１４は、タイムシフトされた部分電力量値に基づいて模擬部分デマンド値を算出する。これは図４の模擬部分デマンド値算出手順（ステップＳ４）に相当する。例えば、図３（ｂ）で示すように模擬部分デマンド値１が算出される。
【００４８】
演算部１４は、全体デマンド値と模擬部分デマンド値との和から部分デマンド値を減じて模擬全体デマンド値を算出する。これは図４の模擬全体デマンド値算出手順（ステップＳ５）に相当する。模擬全体デマンド値＝（全体デマンド値＋模擬部分デマンド値−部分デマンド値）となる。例えば、図３（ｂ）で示すように模擬全体デマンド値が算出される。
【００４９】
演算部１４は、所定時間単位別の全体デマンド値および模擬全体デマンド値のグラフを表示部１６に表示する。これは図４の表示手順（ステップＳ６）に相当する。例えば、図３（ａ）で示すような従来の運用パターンや、図３（ｂ）で示すように最大全体デマンド値が小さくなるような運用パターンが示され、上記のような電気機器３００の始動時刻を所定期間（例えば５分とか１０分間）遅らせた（又は早めた）タイムシフトが有効であることが確認される。運用パターン決定はこのようなものである。
【００５０】
続いて具体例について説明する。
図５（ａ）はシミュレーション前の実測による全体デマンド値ａと、実測による全ての部分デマンド値ｂ，ｃ，ｄ，ｅと、が図示されている。図５（ｂ）はシミュレーション後の模擬全体デマンド値Ａと、タイムシフトが行われた全ての部分デマンド値Ｂ，Ｃ，Ｄ，Ｅと、が図示されている。なお、図５（ａ）と図５（ｂ）で各電気機器のデマンド値のグラフの形が変わっているのは、時刻をずらしてデマンド値を計算したためである。
【００５１】
図５（ａ）において、算出した全体デマンド値の推移から電力需要家全体の全体デマンド値が最大である最大全体デマンド値が得られる時刻Ｔ１を検出する。検出した時刻Ｔ１において、最も大きい部分デマンド値ｃを計測した電気機器Ａ１を検出する。電気機器Ａ１の始動時刻を１０分間遅らせたと仮定して電力需要家全体の模擬全体デマンド値を計算する。
【００５２】
図５（ｂ）において、時刻Ｔ１における電力需要家全体の模擬全体デマンド値が減少した場合は、電気機器Ａ１の始動時刻を更に１０分間遅らせた（当初から２０分遅れ）と仮定して模擬全体デマンド値を再計算する。この再計算は、時刻Ｔ１の電力需要家全体の最大模擬全体デマンド値が減少しない、または、別の時刻Ｔｎにおける電力需要家全体の最大模擬全体デマンド値が最も大きくなった場合は、始動時刻をずらす対象とする電気機器Ａ１を別の電気機器Ａｎに変更して行う。
【００５３】
繰り返し計算は，始動時刻を最大で６０分間ずらす（３０分間遅らせる又は３０分早める）まで繰り返し行う。なお、このシフト時間は±３０分に限定するものではなく、任意の所定期間（例えば、±１分という短期間や、±１２０分という長期間）を採用することもできる。さらに上記の「遅らせた」に代えて「早めた」にして同様に模擬計算する。
【００５４】
例えば、電気機器Ａ１の始動時刻を３０分遅らせたとき、需要家全体の最大模擬全体デマンド値が時刻で最大となった場合は、その時刻で部分デマンド値が最も大きい電気機器Ａ２を検出する。
電気機器Ａ２の始動時刻を１０分間遅らせたと仮定して需要家全体の模擬全体デマンド値を計算する。このとき電気機器Ａ１の始動時刻は３０分遅らせた条件を変更しないで計算する。最終的には、図５（ｂ）で示すうように時刻Ｔ１の付近で最大模擬全体デマンド値が図５（ａ）の最大全体デマンド値よりも小さくなった運用パターンが決定される。
【００５５】
このようにして電力需要家の最大需要電力（最大デマンド値）を減少させることを目的とした電気機器の運用方法の検討を支援するための電気設備運転時刻変更の簡易シミュレーション装置とすることができる。
【００５６】
以上説明した模擬装置、運用パターン決定支援システム及び運用パターン決定支援方法によれば、電力需要家で使用される電気機器の運用を変えて最大需要電力を抑制するために、電気機器を始動する時刻や稼働する時間帯を調整することで、電力需要家全体の最大使用電力（最大デマンド値）を抑制できる運用パターンを見つけることが可能となる。
【００５７】
続いて他の形態の模擬装置、運用パターン決定支援システム及び運用パターン決定支援方法について説明する。本形態の模擬装置１０は図１で示す構成を有し、図２で示す運用パターン決定支援システム１を構成するが、運用パターン決定支援の手法が相違する。この形態では図６で示すような処理を行う。以下、模擬装置１０、運用パターン決定支援システム１の各構成については先の形態と同じであるものとして重複する説明を省略し、模擬装置１０の演算部１４による運用パターン決定支援の手法について説明する。
【００５８】
続いて、模擬装置１０による運用パターン決定支援方法について説明する。運用パターンの決定支援が開始されるものとする。入力部１５を通じて開始指示が入力されるものとする。この際に使用する計測データが選択される。
【００５９】
続いて、演算部１４は、時刻情報が関連付けられた部分１，部分２，・・・，部分ｎの部分電力量値に基づいて部分の所定時間単位別の部分デマンド値を全ての部分１，部分２，・・・，部分ｎについて時刻別に上記数２に基づいて算出する部分デマンド値算出を行う。これは図６の部分デマンド値算出手順（ステップＳ１０）に相当する。これら機器の電力量の実測データを使って電気機器３００の部分デマンド値（ｋＷ）を算出する。
【００６０】
演算部１４は、時刻情報が関連付けられた全体電力量値を用いて電力需要家全体の所定時間単位別の全体デマンド値を上記数３に基づいて算出する全体デマンド値算出を行う。これは図６の全体デマンド値算出手順（ステップＳ１１）に相当する。総電力量の実測データを使って電力需要家で使用される設備全体の全体デマンド値（ｋＷ）を算出する。
【００６１】
演算部１４は、算出された全体デマンド値の中でピークに相当する最大全体デマンド値を特定する。これは図６の最大全体デマンド値特定手順（ステップＳ１２）に相当する。例えば、図３（ａ）で示すように最大全体デマンド値が算出される。
【００６２】
演算部１４は、所定期間で部分１，部分２，・・・，部分ｎのうちの一の部分電力量値のタイムシフトを行う。これは図６のタイムシフト手順（ステップＳ１３）に相当する。演算部１４は、ある電気機器３００の始動時刻を所定期間（例えば５分とか１０分間）遅らせた（又は早めた）と仮定した場合の部分電力量値を算出する。
【００６３】
演算部１４は、タイムシフトされた部分電力量値に基づいて模擬部分デマンド値を算出する。これは図６の模擬部分デマンド値算出手順（ステップＳ１４）に相当する。例えば、図３（ｂ）で示すように模擬部分デマンド値１が算出される。
【００６４】
演算部１４は、全体デマンド値と模擬部分デマンド値との和から部分デマンド値を減じて模擬全体デマンド値を算出する。これは図６の模擬全体デマンド値算出手順（ステップＳ１５）に相当する。模擬全体デマンド値＝（全体デマンド値＋模擬部分デマンド値−部分デマンド値）となる。例えば、図３（ｂ）で示すように模擬全体デマンド値が算出される。
【００６５】
演算部１４は、算出された模擬全体デマンド値の中で最大模擬全体デマンド値を特定する最大模擬全体デマンド値特定を行う。これは図６の最大模擬全体デマンド値特定手順（ステップＳ１６）に相当する。例えば、図３（ｂ）で示すように最大模擬全体デマンド値が算出される。
【００６６】
演算部１４は、最大模擬全体デマンド値が最大全体デマンド値よりも下回るか比較し、下回るときに運用パターンの候補に決定する候補決定を行う。これは図６の候補決定手順（ステップＳ１７）に相当する。このように自動的に候補を決定することで、運用決定に要する時間の短縮を図る。
【００６７】
演算部１４は、所定時間単位別の全体デマンド値および模擬全体デマンド値のグラフを表示部１６に表示する。これは図６の表示手順（ステップＳ１８）に相当する。例えば、図３（ａ）で示すような従来の運用パターンや、図３（ｂ）で示すように最大全体デマンド値が小さくなるような運用パターンが示され、上記のような電気機器３００の始動時刻を所定期間（例えば５分とか１０分間）遅らせた（又は早めた）タイムシフトが有効であることが確認される。
【００６８】
本形態では運用パターンの候補を自動的に選定し、最大模擬全体デマンド値が小さい運用パターンを候補として決定することができる。
【００６９】
続いて他の形態の模擬装置、運用パターン決定支援システム及び運用パターン決定支援方法について説明する。本形態でも模擬装置１０は図１で示す構成を有し、図２で示す運用パターン決定支援システム１を構成するが、運用パターン決定支援の手法が相違する。この形態では図７で示すような処理を行う。以下、模擬装置１０、運用パターン決定支援システム１の各構成については先の形態と同じであるものとして重複する説明を省略し、模擬装置１０の演算部１４による運用パターン決定支援の手法について説明する。
【００７０】
続いて、模擬装置１０による運用パターン決定支援方法について説明する。運用パターンの決定支援が開始されるものとする。入力部１５を通じて開始指示が入力されるものとする。この際に使用する計測データが選択される。
【００７１】
続いて、演算部１４は、時刻情報が関連付けられた部分１，部分２，・・・，部分ｎの部分電力量値に基づいて部分の所定時間単位別の部分デマンド値を全ての部分１，部分２，・・・，部分ｎについて時刻別に上記数２に基づいて算出する部分デマンド値算出を行う。これは図７の部分デマンド値算出手順（ステップＳ２０）に相当する。これら機器の電力量の実測データを使って電気機器３００の部分デマンド値（ｋＷ）を算出する。
【００７２】
演算部１４は、時刻情報が関連付けられた全体電力量値を用いて電力需要家全体の所定時間単位別の全体デマンド値を上記数３に基づいて算出する全体デマンド値算出を行う。これは図７の全体デマンド値算出手順（ステップＳ２１）に相当する。総電力量の実測データを使って電力需要家で使用される設備全体の全体デマンド値（ｋＷ）を算出する。
【００７３】
演算部１４は、算出された全体デマンド値の中でピークに相当する最大全体デマンド値を特定する。これは図７の最大全体デマンド値特定手順（ステップＳ２２）に相当する。例えば、図３（ａ）で示すように最大全体デマンド値が算出される。
【００７４】
演算部１４は、所定期間で部分１，部分２，・・・，部分ｎのうちの一の部分電力量値のタイムシフトを行う。これは図７のタイムシフト手順（ステップＳ２３）に相当する。演算部１４は、ある電気機器３００の始動時刻を所定期間（例えば５分とか１０分間）遅らせた（又は早めた）と仮定した場合の部分電力量値を算出する。
【００７５】
演算部１４は、タイムシフトされた部分電力量値に基づいて模擬部分デマンド値を算出する。これは図７の模擬部分デマンド値算出手順（ステップＳ２４）に相当する。例えば、図３（ｂ）で示すように模擬部分デマンド値１が算出される。
【００７６】
演算部１４は、全体デマンド値と模擬部分デマンド値との和から部分デマンド値を減じて模擬全体デマンド値を算出する。これは図７の模擬全体デマンド値算出手順（ステップＳ２５）に相当する。模擬全体デマンド値＝（全体デマンド値＋模擬部分デマンド値−部分デマンド値）となる。例えば、図３（ｂ）で示すように模擬全体デマンド値が算出される。
【００７７】
演算部１４は、算出された模擬全体デマンド値の中で最大模擬全体デマンド値を特定する最大模擬全体デマンド値特定を行う。これは図７の最大模擬全体デマンド値特定手順（ステップＳ２６）に相当する。例えば、図３（ｂ）で示すように最大模擬全体デマンド値が算出される。
【００７８】
演算部１４は、時間や対象とする部分電力値を異ならせた上でのタイムシフト、模擬部分デマンド値算出、模擬全体デマンド値算出、最大模擬全体デマンド値特定を繰り返し行い、複数の最大模擬全体デマンド値の中で最小となる最大模擬全体デマンド値を算出する繰り返しを行う。この繰り返しにより最大模擬全体デマンド値は多数算出される。これは図７の繰り返し手順（ステップＳ２７）に相当する。
【００７９】
演算部１４は、最大模擬全体デマンド値が最大全体デマンド値よりも下回るか比較し、下回るときに運用パターンの候補に決定する候補決定を行う。これは図７の候補決定手順（ステップＳ２８）に相当する。最終の候補としては、最大模擬全体デマンド値が最も低いものや、最大模擬全体デマンド値が低い複数のもの、が決定される。このように自動的に候補を決定することで、運用決定に要する時間の短縮を図る。
【００８０】
演算部１４は、所定時間単位別の全体デマンド値および模擬全体デマンド値のグラフを表示部１６に表示する。これは図５の表示手順（ステップＳ２９）に相当する。例えば、図３（ａ）で示すような従来の運用パターンや、図３（ｂ）で示すように最大全体デマンド値が小さくなるような運用パターンが示され、上記のような電気機器３００の始動時刻を所定期間（例えば５分とか１０分間）遅らせた（又は早めた）タイムシフトが有効であることが確認される。
【００８１】
本形態ではシフト間隔や対象とする部分電力量値を異ならせたタイムシフトが多数行われ、比較により最大模擬全体デマンド値が最も小さい運用パターンを決定することができる。
【００８２】
以上、図１〜図７を用いて説明した、模擬装置、運用パターン決定支援システム及び運用パターン決定支援方法によれば、電力需要家で使用される電気機器の運用を変えて最大需要電力を抑制するために、電気機器を始動する時刻や稼働する時間帯を調整することで、電力需要家全体の最大使用電力（最大デマンド値）を抑制できる運用パターンを見つけることが可能となる。
【００８３】
続いて他の形態の運用パターン決定支援システム２の装置構成について説明する。運用パターン決定支援システム２は、図８で示すように、模擬装置１０、ｎ個の部分計測部２０、全体計測部３０、通信回線４０、携帯端末５０を備える。
【００８４】
模擬装置１０は、図１を用いて説明したものと同じ構成を有し、図４，図６，図７の運用パターン決定支援方法により運用パターン決定支援を行うが、本形態ではインターフェース部１１が通信回線４０と接続される点が相違している。
【００８５】
ｎ個の部分計測部２０は、電力需要家が有する電気機器３００その他の部分の使用電力または使用電力量に基づいて部分１，部分２，・・・，部分ｎの部分電力量値を算出して時刻情報およびＩＤとともに通信回線４０を介して送信する機能を有し、電力量センサ、電力量計あるいは電力量算出手段を有する。また、データ送信手段も有する。ＩＤにより複数ある部分計測部２０のうちのどの部分計測部２０であるかが判定できるようになっている。なお、部分計測部２０が計測機能のみ有し、この部分計測部２０の後段に図示しないデータ送信部を設けた構成としても良い。このような部分計測部２０はｎ個配置されるが、全ての部分計測部２０で計測される電力量を加算したものは、理論上では全体計測部３０で計測される電力量と一致する。
【００８６】
電力量センサまたは電力量計は、デマンド時限より短い所定の間隔で使用電力量（ｋＷｈ）を測定する。例えば、１分間隔である。電力量を計測する対象は、電気機器（１台以上）またはエリア毎（分電盤の分岐ブレーカー、コンセント単位など）という全体から適宜分割された単位である部分に含まれる各機器電力量値（ｋＷｈ）である。本形態では一の電気機器２００を一の部分としている。一の電気機器２００に特有のＩＤが割り振られている。送信する計測データにはこの電気機器２００の使用電力量（ｋＷｈ）はある時刻から所定期間までの時刻であることの情報である時刻情報が付与される。また、どの部分計測部２０からの出力であるかを特定するＩＤが付与される。
【００８７】
電力量算出手段は、電流センサで計測した電流値から電気機器（１台以上）またはエリア毎の電力量を次式数４の手法により簡易的に算出する機能を有する。
【００８８】
［数４］
使用電力量（ｋＷｈ）＝電流値（実測値）×電圧値（設定値）×力率（設定値）×時間
【００８９】
なお、数４の計算の前提条件として、電圧値は、計測対象の回路や電気機器の定格電圧を用いるか、又は、電流値を計測した任意（の時刻）に測定した電圧値をそのまま回路などの電圧と見做す（一定値と仮定して計算する）。力率は、任意の値を設定する（一定値と仮定して計算する。）。送信する計測データにはこの使用電力量（ｋＷｈ）はある時刻から所定期間までの時刻であることの情報である時刻情報が付与される。また、全体計測部３０からの出力であることを特定するＩＤが付与される。
【００９０】
全体計測部３０は、電力供給部１００から供給される電力需要家の全体の使用電力または使用電力量に基づいて全体電力量値を算出して時刻情報およびＩＤとともに通信回線４０を介して送信する機能を有し、電力量センサ、電力量計あるいは電力量算出手段を有する。また、データ送信手段も有する。なお、全体計測部３０が計測機能のみ有し、この全体計測部３０の後段に図示しないデータ送信部を設けた構成としても良い。
【００９１】
電力量センサまたは電力量計は、デマンド時限より短い所定の間隔で使用電力量（ｋＷｈ）を測定する。例えば、１分間隔である。電力量を計測する対象は、電力供給部１００から供給される電力、すなわち電力需要家全体で使用される総電力量値（ｋＷｈ）である。送信する計測データにはこの使用電力量（ｋＷｈ）はある時刻から所定期間までの時刻であることを示す情報である時刻情報が付与される。また、全体計測部３０からの出力であることを特定するＩＤが付与される。
【００９２】
また、電力量算出手段は、電力供給部１００からの電流値を電流センサで計測し、この電流値から電力量を簡易的に算出する機能を有する。電力量の計測は、電流と電圧の２つの情報が必要となるため、センサなどの配線が複雑になり、既設の設備に簡易に設置できない場合が想定される。その場合は、取り付けが容易な電流センサで実測した電流値を用いて先の数４により電力量値を推定する。送信する計測データにはこの使用電力量（ｋＷｈ）はある時刻から所定期間までの時刻であることの情報である時刻情報が付与される。また、全体計測部３０からの出力であるかを特定するＩＤが付与される。
【００９３】
通信回線４０は、部分計測部２０および全体計測部３０と、有線または無線により通信する。通信方式は適宜採用することができる。
【００９４】
携帯端末５０は、有線、無線により模擬装置１０にアクセスできるようになされ、運用パターン決定支援のための各種設定（例えば５分間や１０分間というシフト時間の入力や、時間を遅らせるという遅延シフトか、時間を進ませるという先行シフトか、の選択入力）、運用パターン決定支援のための指示（例えばシミュレーション開始）、または、運用パターン決定支援のための各種表示（例えばシミュレーション結果表示）をすることができる。また、設置型の端末であっても良い。
【００９５】
続いて本システムによるデータの蓄積について説明する。
部分計測部２０は、電気機器３００で使用される部分電力量（ｋＷｈ）を実測データとして取得する。この際、ｎ個の部分計測部２０は、それぞれ対応する電気機器３００で使用される部分電力量を実測データとして取得する。そして、実測データに対し、ｎ個あるうちの一の電気機器３００からの出力であることを識別する情報であるＩＤと、測定した時刻情報（例えば、１分間単位別の時刻）と、を対応付けて計測データとする。
【００９６】
同様に全体計測部３０は電力供給部１００から設備全体で使用される全体電力量（ｋＷｈ）を実測データとして取得する。そして、実測データに対し、電力供給部１００からの出力であることを識別するための情報であるＩＤと、測定した時刻情報（例えば、１分間単位別の時刻）と、を対応付けて計測データとする。
【００９７】
これら計測データは、通信回線４０を介して、模擬装置１０へ送られる。模擬装置１０の演算部１４は、インターフェース部１１を通じて取得したデータを記憶部１２に記憶する。
【００９８】
ここで、電力量の計測データが通信エラーなどで欠落した場合、模擬装置１０で補完が行われる。演算部１４が欠落した期間（例えば、３０分以内）の直前と直後の２つの計測データを記憶部１２に記憶しておき、これら２つの計測データ間を直線近似で補完処理を行い、補完した計測データを外部記憶部１３に記憶させる。
【００９９】
模擬装置１０の演算部１４は、最終的に計測データを外部記憶部１３に記憶させる。模擬装置１０は、このような計測データの蓄積を１週間程度以上連続して行うことが可能である。このようにして過去から現在までの計測データが蓄積されているものとする。そして、模擬装置１０は、全体計測部３０および複数の部分計測部２０から送信された全体電力量値および複数の部分電力量値を含む計測データを登録して先に図１〜図７を用いて説明したような運用パターン決定方法により運用パターンを決定する。このようなシステムとすることもできる。
【０１００】
続いて他の形態の運用パターン決定支援システム３について図９を参照しつつ説明する。先に図８を用いて説明した運用パターン決定支援システム２では、模擬装置１０が通信回線４０を通じて計測データをオンラインで収集していたが、計測データはオンラインで伝送されたものに限定する必要はない。そこで、運用パターン決定支援システム３は、図８のシステムに加え、通信回線４０と模擬装置１０との間に、計測データ収集装置（ｉＮＣ）６０を設ける。
【０１０１】
計測データ収集装置（ｉＮＣ）６０は、ｎ個の部分計測部２０および全体計測部３０から送信された各値を用い、時刻情報とＩＤとが関連付けられた部分１，部分２，・・・，部分ｎの部分電力量値、および、時刻情報とＩＤとが関連付けられた全体電力量値を含む計測データとして登録する計測データを蓄積する機能を有する。この計測データ収集装置６０に計測データを収集記憶させる。そして、模擬装置１０は、所望のときに模擬装置１０が計測データ収集装置６０から計測データを読み出し、先に図１〜図７を用いて説明したような運用パターン決定方法により運用パターンを決定する。このようにしても運用パターンを決定することができる。
【０１０２】
続いて他の形態の運用パターン決定支援システム４について説明する。先に図８，図９を用いて運用パターン決定を行うことを説明した運用パターン決定支援システム２，３では、計測から運用パターン決定までを行う一体の装置であったが、本形態では、図１０で示すｎ個の部分計測部２０、全体計測部３０、通信回線４０、計測データ収集装置６０までが設置され、計測データ収集装置６０から計測データをＵＳＢメモリなどで読み出し、他の箇所にある模擬装置１０がＵＳＢメモリから計測データを読み出して運用パターンの決定支援を行う。この場合、模擬装置１０はスタンドアロンのパーソナルコンピュータなどである。
【０１０３】
この場合、データ収集は計測データ収集装置６０がデータ収集を行う。そして、模擬装置１０は、所望のときに模擬装置１０が計測データ収集装置６０からＵＳＢメモリを介して計測データを読み出し、先に図１〜図７を用いて説明したような運用パターン決定方法により運用パターンを決定する。このような形態を採用することもできる。
【０１０４】
続いて他の形態の運用パターン決定支援システムについて説明する。先に図２を用いて説明した運用パターン決定支援システム１では、ｎ個の部分計測部２０や全体計測部３０を有するものとして説明した。しかしながら、図１１に示す本形態の運用パターン決定支援システム５では、図２のパターン決定支援システム１のうちで全体計測部３０のみを取り去った構成とした。また、模擬装置１０は、運用パターン決定支援では図４，図６，図７の何れかのフローに従うものとした。
【０１０５】
この場合、模擬装置１０の演算部１４は、図４の全体デマンド値算出手順（Ｓ２）、図６の全体デマンド値算出手順（Ｓ１１）、図７の全体デマンド値算出手順（Ｓ２１）のみが相違することになり、部分１，部分２，・・・，部分ｎの所定時間単位別の部分デマンド値を全て加算して電力需要家全体の所定時間単位別の全体デマンド値を時刻別に算出する全体デマンド値算出を行う。後は図４，図６，図７を用いて説明したものと同じフローにて運用パターン決定支援が行われる。特にｎ個の部分電力量値を加算して全体電力量値を算出することで、全体計測部を省略した点が特徴となっている。
【０１０６】
続いて実際の運用パターン決定支援の具体例について説明する。図１２は運用パターンの決定に用いられるデータの説明図である。電気機器３００として機器Ａ１、Ａ２、Ａ３を備える。機器Ａ１，Ａ２，Ａ３の部分電力量はそれぞれ、ＰＡ１，ＰＡ２，ＰＡ３であり、また、デマンド値はそれぞれＤＡ１，ＤＡ２，ＤＡ３である（表の（１），（２），（３））。また、機器Ａ１，Ａ２，Ａ３のデマンド値を全て加算したＤＡ１＋ＤＡ２＋ＤＡ３が算出される（表の（４））。この結果は図１３で示すようになる。８：３０：００のデマンド値が突出している。
【０１０７】
そこで、機器Ａ１の始動時刻をタイムシフトする。電気機器Ａ１の始動時刻を１０分間遅らせたと仮定して電力需要家全体の全体デマンド値を計算する。タイムシフトしたときのデマンド値はＤＡ１シフトである（表の（５））。機器Ａ１，Ａ２，Ａ３のデマンド値を全て加算したＤＡ１シフト＋ＤＡ２＋ＤＡ３が算出される（表の（６））。この結果は図１４で示すようになる。実測では８：３０：００のデマンド値（９４．１６６６６７）が突出していたが、模擬後にはデマンド値（８４．５）が減少しており、運用パターンの変更に効果があることが確認される。
【０１０８】
このようにして電力需要家の最大需要電力（最大デマンド値）を減少させることを目的とした電気機器の運用方法の検討を支援するための電気設備運転時刻変更の簡易シミュレーション装置とすることができる。
【０１０９】
このような本形態によれば、全体計測部を用いなくとも良くなり、システム構成の低コスト化を実現する。
【０１１０】
続いて他の形態の運用パターン決定支援システムについて説明する。先に図８を用いて説明した運用パターン決定支援システム２では、ｎ個の部分計測部２０や全体計測部３０を有するものとして説明した。しかしながら、図１５に示す本形態の運用パターン決定支援システム６では、図８のパターン決定支援システム２のうちで全体計測部３０のみを取り去った構成とした。また、模擬装置１０は、運用パターン決定支援では図４，図６，図７の何れかのフローに従うものとした。
【０１１１】
この場合、模擬装置１０の演算部１４は、図４の全体デマンド値算出手順（Ｓ２）、図６の全体デマンド値算出手順（Ｓ１１）、図７の全体デマンド値算出手順（Ｓ２１）のみが相違することになり、部分１，部分２，・・・，部分ｎの所定時間単位別の部分デマンド値を全て加算して電力需要家全体の所定時間単位別の全体デマンド値を時刻別に算出する全体デマンド値算出を行う。後は図４，図６，図７を用いて説明したものと同じフローにて運用パターン決定支援が行われる。特にｎ個の部分電力量値を加算して全体電力量値を算出することで、全体計測部を省略した点が特徴となっている。
【０１１２】
このような本形態によれば、全体計測部を用いなくとも良くなり、システム構成の低コスト化を実現する。
【０１１３】
続いて他の形態の運用パターン決定支援システムについて説明する。先に図９を用いて説明した運用パターン決定支援システム３では、ｎ個の部分計測部２０や全体計測部３０を有するものとして説明した。しかしながら、図１６に示す本形態の運用パターン決定支援システム７では、図９のパターン決定支援システム３のうちで全体計測部３０のみを取り去った構成とした。また、模擬装置１０は、運用パターン決定支援では図４，図６，図７の何れかのフローに従うものとした。
【０１１４】
この場合、模擬装置１０の演算部１４は、図４の全体デマンド値算出手順（Ｓ２）、図６の全体デマンド値算出手順（Ｓ１１）、図７の全体デマンド値算出手順（Ｓ２１）のみが相違することになり、部分１，部分２，・・・，部分ｎの所定時間単位別の部分デマンド値を全て加算して電力需要家全体の所定時間単位別の全体デマンド値を時刻別に算出する全体デマンド値算出を行う。後は図４，図６，図７を用いて説明したものと同じフローにて運用パターン決定支援が行われる。特にｎ個の部分電力量値を加算して全体電力量値を算出することで、全体計測部を省略した点が特徴となっている。
【０１１５】
このような本形態によれば、全体計測部を用いなくとも良くなり、システム構成の低コスト化を実現する。
【０１１６】
続いて他の形態の運用パターン決定支援システムについて説明する。先に図１０を用いて説明した運用パターン決定支援システム４では、ｎ個の部分計測部２０や全体計測部３０を有するものとして説明した。しかしながら、図１７に示す本形態の運用パターン決定支援システム８では、図１０のパターン決定支援システム４のうちで全体計測部３０のみを取り去った構成とした。また、模擬装置１０は、運用パターン決定支援では図４，図６，図７の何れかのフローに従うものとした。
【０１１７】
この場合、模擬装置１０の演算部１４は、図４の全体デマンド値算出手順（Ｓ２）、図６の全体デマンド値算出手順（Ｓ１１）、図７の全体デマンド値算出手順（Ｓ２１）のみが相違することになり、部分１，部分２，・・・，部分ｎの所定時間単位別の部分デマンド値を全て加算して電力需要家全体の所定時間単位別の全体デマンド値を時刻別に算出する全体デマンド値算出を行う。後は図４，図６，図７を用いて説明したものと同じフローにて運用パターン決定支援が行われる。特にｎ個の部分電力量値を加算して全体電力量値を算出することで、全体計測部を省略した点が特徴となっている。
【０１１８】
このような本形態によれば、全体計測部を用いなくとも良くなり、システム構成の低コスト化を実現する。
【０１１９】
以上本発明の模擬装置、運用パターン決定支援システム及び運用パターン決定支援方法について説明した。上記形態では、一連の繰り返し計算及び設備全体で使用される電力量の最大値が減少する電気機器の始動時刻の組合せパターンをコンピュータプログラムで自動的に選定する場合を説明したが、グラフ表示のみ行うようにし、グラフ表示された模擬計算結果をもとにして入力部から手動で計算操作を行っても良い。
また、工場以外の大病院、商業施設、ビルディングなどの電力需要家が採用しても良い。この場合、ビルディングならば部屋を区分とするような運用であっても良い。
【０１２０】
本発明の模擬装置、運用パターン決定支援システム及び運用パターン決定支援方法は以下のような利点を有する。
【０１２１】
（１）電力需要家で使用する電気機器の使用電力量の実測値をもとに、電気機器の始動時刻を変更した条件でデマンド値を模擬計算することで、設備全体の最大使用電力を抑制し、電気の基本料金を節約できる運用条件の検討が簡便に行える。このように電力需要家全体の全体デマンド値を減少させる電気機器の運用パターンを容易に推測することができる。
【０１２２】
（２）電力需要家の電気設備の変更や使用する電力を抑制・停止する制御を行うことなく、一部の電気機器の始動時刻を調整することで対応できる。
【０１２３】
（３）電気機器の運用調整は短い時間内での調整で済むため、生産工程や勤務時間帯に与える影響が少ない。
【０１２４】
（４）模擬計算は予め実測した過去の電力量データを用いてもできるため、リアルタイムで計測する必要が無く、簡易な装置構成で低コストかつ容易に実施できる。
【０１２５】
（５）電力供給側からみた場合には電力需要が平準化されて設備投資を低減できる。
【産業上の利用可能性】
【０１２６】
本発明の模擬装置、運用パターン決定支援システムおよび運用パターン決定支援方法は、工場、ビルディング、大型商業施設、病院などの大口電力需要家は勿論のこと最大デマンド値で基本料金が決定される契約形態の電力需要家全体でも幅広く適用が可能である。
【符号の説明】
【０１２７】
１，２，３，４，５，６，７，８：運用パターン決定支援システム
１０：模擬装置
１１：インターフェース部
１２：記憶部
１３：外部記憶部
１４：演算部
１５：入力部
１６：表示部
２０：部分計測部
３０：全体計測部
４０：通信回線
５０：携帯端末
６０：計測データ収集装置（ｉＮＣ）
１００：電力供給部
２００：電力線
３００：電気機器
【図１】
2015139317.tif 000003
【図２】
2015139317.tif 000004
【図３】
2015139317.tif 000005
【図４】
2015139317.tif 000006
【図５】
2015139317.tif 000007
【図６】
2015139317.tif 000008
【図７】
2015139317.tif 000009
【図８】
2015139317.tif 000010
【図９】
2015139317.tif 000011
【図１０】
2015139317.tif 000012
【図１１】
2015139317.tif 000013
【図１２】
2015139317.tif 000014
【図１３】
2015139317.tif 000015
【図１４】
2015139317.tif 000016
【図１５】
2015139317.tif 000017
【図１６】
2015139317.tif 000018
【図１７】
2015139317.tif 000019